(57)【要約】【課題】複数の太陽電池列を有しながら、高いモジュール変換効率を備えた太陽電池モジュールを提供する。【解決手段】端部太陽電池セル１ａ、１ｂを接続する列間インターコネクター２ａを太陽電池列の側端間に設けることで、太陽光による発電に何ら寄与することのない太陽電池列１０の端部からのインターコネクター２の突出部分をなくし、複数の太陽電池列１０を有しながら高いモジュール変換効率を備え、尚かつ従来のものと較べ、太陽電池列１０間を接続するインターコネクター２の長さを短縮し、材料を節減し低いコストで太陽電池モジュール１００を得ることができる。【参照図】        図１【特許請求の範囲】
【請求項１】
複数の太陽電池セルが列内インターコネクターによって直列に接続されて太陽電池列が形成され、更に相隣る該太陽電池列の端部に位置する端部太陽電池セル同士が列間インターコネクターにより電気的に接続されて、太陽電池セルが電気的に直列に接続されてマトリックス状に配置されたものであって、前記端部太陽電池セルを接続する列間インターコネクターは前記太陽電池列の側端間に設けられていることを特徴とする太陽電池モジュール。
【請求項２】
前記端部太陽電池セルは、矩形のバックコンタクト型のものであって、電極は矩形を形成する四辺の裏面にそれぞれ設けられ、四辺の内、三辺が陽極又は陰極の電極となされていることを特徴とする請求項１に記載の太陽電池モジュール。
【発明の詳細な説明】
【技術分野】
【０００１】
本発明は、複数の太陽電池セルと電力取出し用の端子板とがインターコネクターを介して接続された太陽電池モジュールに関するものである。
【背景技術】
【０００２】
従来の複数の太陽電池セルをインターコネクターで接続した太陽電池モジュールとしては、例えば特許文献１において、複数個の太陽電池素子が、接続体により互いに電気的に直列接続されてなる太陽電池モジュールであって、前記接続体の、光入射側に露出する部分には、着色層が被着されたことを特徴とする太陽電池モジュールが開示されている。かかる構成の太陽電池モジュールにおいては、ほとんどが特許文献１の図中に示される如くインターコネクターが取り付けられて発電された電力を外部に出力されるようになされている。
【０００３】
【特許文献１】特開平１０−９３１２５号公報
【発明の開示】
【発明が解決しようとする課題】
【０００４】
しかしながら、特許文献１に記載の如くインターコネクターが取り付けられている場合には、太陽電池セルをインターコネクターにより列状に接続した太陽電池列の、両端において太陽電池列同士を電気的に接続するにおいて、太陽電池列の端部からインターコネクターを突出させて接続しているので、その部分は太陽光による発電に寄与するものではなく、太陽電池としてモジュール変換効率の低下に繋がるものであった。
【０００５】
本発明は上記の如き課題に鑑みてなされたものであり、複数の太陽電池列を有しながら、高いモジュール変換効率を備えた太陽電池モジュールを提供せんとするものである。
【課題を解決するための手段】
【０００６】
上記目的を達成するため、本発明は以下のような構成としている。すなわち、本発明に係わる太陽電池モジュールは、複数の太陽電池セルが列内インターコネクターによって直列に接続されて太陽電池列が形成され、更に相隣る該太陽電池列の端部に位置する端部太陽電池セル同士が列間インターコネクターにより電気的に接続されて、太陽電池セルが電気的に直列に接続されてマトリックス状に配置されたものであって、前記端部太陽電池セルを接続する列間インターコネクターは前記太陽電池列の側端間に設けられていることを特徴とするものである。
【０００７】
また前記端部太陽電池セルは、矩形のバックコンタクト型のものであって、電極は矩形を形成する四辺の裏面にそれぞれ設けられ、四辺の内、三辺が陽極又は陰極の電極となされていることを特徴とするものである。
【発明の効果】
【０００８】
請求項１に記載の本発明に係わる太陽電池モジュールによれば、端部太陽電池セルを接続する列間インターコネクターを太陽電池列の側端間に設けることで、太陽光による発電に何ら寄与することのない太陽電池列の端部からのインターコネクターの突出部分をなくし、複数の太陽電池列を有しながら高いモジュール変換効率を備え、尚かつ従来のものと較べ、太陽電池列間を接続するインターコネクターの長さを短縮し、材料を節減し低いコストで太陽電池モジュールを得ることができる。
【０００９】
また請求項２の発明によれば、三辺の陽極又は陰極を除いた一辺の陰極又は陽極にインターコネクターにより隣接する太陽電池セルを接続すれば、当該太陽電池セルについては更に隣接する太陽電池セルを三方向の任意の方向について接続することができるが、かかる三辺に陽極又は陰極を設けるにおいてバックコンタクト型の太陽電池セルは容易に行うことができ好ましい。
【発明を実施するための最良の形態】
【００１０】
本発明に係わる最良の実施の形態について、図面に基づき以下に具体的に説明する。
図１及び図２は、本発明に係わる太陽電池モジュールの実施の一形態を示すもので、まず図１において、複数の太陽電池セル１がインターコネクター２を介して直線状の形状に電気的に接続されることで太陽電池列１０が形成される。その太陽電池列１０が複数列配置され、更に各々の太陽電池列１０が電気的に接続され、インターコネクター２の両端が端子板３に接続され、且つ太陽電池列１０、インターコネクター２及び端子板３がＥＶＡ等の透明充填材４によって封止され、前面にガラス等の透明保護板５が配置されることで太陽電池モジュール１００が形成される。相隣る太陽電池列１０ａ及び１０ｂの最端部に位置する端部太陽電池セル１ａ及び１ｂは、それぞれの側端間に列間インターコネクター２ａにより電気的に接続される。
【００１１】
図２は、端部太陽電池セル１ａ又は１ｂの、裏面の詳細を示す平面図で、イ）は本実施形態に示すもの、ロ）は従来の例を示すものである。イ）において、四隅が面取りされた矩形の平面形状を有するバックコンタクト型の太陽電池セル１は、裏面にｐ＋層１１とｎ＋層１２とが細長い線状に交互に設けられることで、ｐ＋層１１及びｎ＋層１２の前面側に配置されたＳｉ活性層（本図においては図示せず）との電子のやりとりを円滑に行うようにしており、図中に示す線状の部分は境界となる絶縁部１３である。矩形の四辺にはそれぞれ三箇所に、ｐ＋層１１及びｎ＋層１２が広くなされた部分があり、その部分がインターコネクター２を接続する電極である陽極１４及び陰極１５となされている。矩形の四辺において、陽極１４は一辺に設けられ、残りの三辺に陰極１５ａ、１５ｂ、１５ｃがそれぞれ設けられている。かかる三辺に設けられた陰極１５に隣接する太陽電池セル１の陽極１４が接続できることで、太陽電池セル１を直線状に接続する場合はもとより、相隣る端部太陽電池セル１ａと１ｂとを接続する場合に接続する方向は左右側いずれについても限定することなく接続が可能である。
【００１２】
従来のバックコンタクト型の太陽電池の、裏面の詳細をロ）に示すが、裏面にｐ＋層１１とｎ＋層１２とが細長い線状に交互に設けられるのは同様であるが、矩形の太陽電池セル１の相対向する二辺にｐ＋層１１及びｎ＋層１２が広くなされて電極である陽極１４及び陰極１５が形成されており、端部太陽電池セル１ａ、１ｂ間を接続するには従来技術に記載の如き方法でのインターコネクター２の接続が必要であった。
【００１３】
ここで、太陽電池セル１の断面構造を図３に示す。太陽電池セル１は太陽Ｓに向けられる面から、反射防止層１７、ｎ層１６が積層され、ｎ層１６の裏面側にはｐ＋層１１及びｎ＋層１２が電気的に固着されている。ｎ層１６と、ｐ＋層１１及びｎ＋層１２とは電気的に接続されていることで、ｎ層１６に太陽光が照射されると、そのエネルギーによりｎ層１６が励起状態となり、ｎ層１６からｐ＋層１１への電子の流れが生じることで、太陽電池セル１１は電力を生起する。
【００１４】
図４のイ）は、図２に示した太陽電池セル１を用いて形成した太陽電池モジュール１００の、裏面における太陽電池セル１同士の接続の詳細を示す説明図である。太陽電池セル１同士は裏面のみにインターコネクター２をはんだ付等することで電気的に接続されており、太陽電池列１０の太陽電池セル１同士を直線状に接続する部分においては従来の相対向する二辺にそれぞれ陽極１４と陰極１５とが設けられた太陽電池セル１を用いてもよいが、太陽電池列１０ａの端部太陽電池セル１ａと、相隣る太陽電池列１０ｂの端部太陽電池セル１ｂについては、矩形の三辺に陰極１５が設けられ、残る一辺に陽極１４が設けられた太陽電池セル１を用いる。端部太陽電池セル１ａは同じ太陽電池列１０ａで隣接する太陽電池セル１に対しては陽極１４で接続し、相隣る太陽電池列１０ｂの端部太陽電池セル１ｂについても同様に矩形の三辺に陰極１５が設けられ、残る一辺に陽極１４が設けられた太陽電池セル１を用いるが、相隣る端部太陽電池セル１ａを時計回りに９０゜回転させた配置として用いることで、端部太陽電池セル１ｂは相隣る端部太陽電池セル１ａと陽極１４で接続できると共に、同じ太陽電池列１０ｂの太陽電池セル１に対して陰極１５で接続し、円滑な電子の流れを確保しつつ太陽電池列１０の、端子板３と反対側におけるインターコネクター２の突出をなくすることができる。
【００１５】
図４のロ）に従来の太陽電池セルを用いた太陽電池モジュールの例を挙げているが、矩形の太陽電池セル１において相対向する二辺にそれぞれ陽極１４及び陰極１５が設けられていることで、端子板３と反対側にインターコネクター２が突出し、太陽電池モジュール１００が長さａ分だけ長くなり、この部分は太陽光による発電に何ら寄与することがなく、長さａ分だけ従来例では太陽電池のモジュール変換効率は低下する。更に突出するインターコネクター２は絶縁を確保する上である程度の長さが必要であり、またイ）に示した場合と較べて２倍の本数を必要とする。更にまた、太陽電池列１０間を接続するインターコネクター２ｂは端子板３と同程度の電気容量が必要となり、これらの突出分のインターコネクター２及び２ｂと較べ、イ）に示した列間インターコネクター２ａははるかに少ない材料ですみ、太陽電池モジュール１００の形成に係わる資源の節減やコストの低減に繋げることができる。
【図面の簡単な説明】
【００１６】
【図１】本発明に係わる太陽電池モジュールの、実施の一形態を示す説明図である。
【図２】本発明に係わる太陽電池モジュールを形成する太陽電池セルの、背面の状態の一例を説明する平面図である。
【図３】図２のＡ線における断面図である。
【図４】本発明に係わる太陽電池モジュールの、裏面側の接続状態の一例を示す説明図である。
【符号の説明】
【００１７】
１    太陽電池セル
１ａ、１ｂ  端部太陽電池セル
１４  陽極
１５  陰極
２    インターコネクター
２ａ  列間インターコネクター
３    端子板
１０  太陽電池列
１００  太陽電池モジュール
【図１】
2005191186.tif 000002
【図２】
2005191186.tif 000003
【図３】
2005191186.tif 000004
【図４】
2005191186.tif 000005